(57)【要約】【課題】ワイヤハーネスに容易に装着することができ、かつシール性を安定させることが可能なグロメットおよびグロメット付きワイヤハーネスを提供する。【解決手段】ワイヤハーネス４０の外装部材４１を包囲する筒状をなして前記外装部材４１の外周面に密着する筒状部１１と、前記筒状部１１の外周面に設けられてケース３０の開口部３１の周りに密着するシール部２１と、を有し、前記筒状部１１の軸方向の一端から前記シール部２１の手前の位置まで軸方向に沿って延びるスリット２２が形成されるとともに、前記筒状部１１の前記一端から軸方向に延出する延出部１２が前記スリット２２を間にした幅方向の両側に一対設けられている。【選択図】図１
2016119750.tif 000002
【特許請求の範囲】
【請求項１】
ワイヤハーネスの外装部材を包囲する筒状をなして前記外装部材の外周面に密着する筒状部と、
前記筒状部の外周面に設けられてケースの開口部の周りに密着するシール部と、
を有し、
前記筒状部の軸方向の一端から前記シール部の手前の位置まで軸方向に沿って延びるスリットが形成されるとともに、前記筒状部の前記一端から軸方向に延出する延出部が前記スリットを間にした幅方向の両側に一対設けられているグロメット。
【請求項２】
前記スリットのうち前記シール部の手前に位置する端部に、前記スリットの幅寸法よりも大きい幅寸法を有する孔部が設けられている請求項１に記載のグロメット。
【請求項３】
前記筒状部の軸方向の他端から軸方向に延出する延出部が設けられている請求項１または請求項２に記載のグロメット。
【請求項４】
請求項１ないし請求項３のいずれか一項に記載のグロメットがワイヤハーネスに取り付けられているグロメット付きワイヤハーネス。
【発明の詳細な説明】
【技術分野】
【０００１】
本発明は、グロメットおよびグロメット付きワイヤハーネスに関する。
【背景技術】
【０００２】
従来、例えば自動車に装備される電気接続箱のように、ケースの内部に電気部品が収容されたものにおいて、ワイヤハーネスを導出入するためのケースの開口部から水が浸入することを防ぐべく、開口部にゴム成形品のグロメットを装着する技術が知られている。
【０００３】
例えば下記特許文献１に記載のグロメットは、ワイヤハーネスを包囲する筒状をなしてその内周面がワイヤハーネスの外周面に密着し、かつ外周面がケースの開口部に密着することで開口部を止水するものである。グロメットには、軸方向の全長にスリットが形成されており、スリットを開くことで、グロメットをワイヤハーネスに容易に装着することができる。そして、スリットのうちケースの外側に配される部分は、テープ巻きにより閉鎖するものとしている。
【先行技術文献】
【特許文献】
【０００４】
【特許文献１】特開２００９−２９０９５６号公報
【発明の概要】
【発明が解決しようとする課題】
【０００５】
しかしながら、上記のようにスリットをテープ巻きにより閉鎖する方法では、テープの巻き方や、テープの劣化等により十分にスリットが閉鎖されない虞があり、シール性を安定させることが難しかった。
【０００６】
本発明は上記のような事情に基づいて完成されたものであって、ワイヤハーネスに容易に装着することができ、かつシール性を安定させることが可能なグロメットおよびグロメット付きワイヤハーネスを提供することを目的とする。
【課題を解決するための手段】
【０００７】
本発明のグロメットは、ワイヤハーネスの外装部材を包囲する筒状をなして前記外装部材の外周面に密着する筒状部と、前記筒状部の外周面に設けられてケースの開口部の周りに密着するシール部と、を有し、前記筒状部の軸方向の一端から前記シール部の手前の位置まで軸方向に沿って延びるスリットが形成されるとともに、前記筒状部の前記一端から軸方向に延出する延出部が前記スリットを間にした幅方向の両側に一対設けられているものである。
本発明のグロメット付きワイヤハーネスは、前記グロメットがワイヤハーネスに取り付けられているものである。
【発明の効果】
【０００８】
本発明によれば、一対の延出部を把持してスリットを開くことで、比較的容易にグロメットをワイヤハーネスに装着することができ、シール部にスリットが形成されていないから、シール性を安定させることができる。すなわち、グロメットをワイヤハーネスに容易に装着することができ、かつシール性を安定させることができる。
【図面の簡単な説明】
【０００９】
【図１】本実施例におけるグロメットを示す平面図
【図２】グロメットによってケースの開口部を止水した状態を示す断面図
【発明を実施するための形態】
【００１０】
本発明の好ましい形態を以下に示す。
本発明のグロメットは、前記スリットのうち前記シール部の手前に位置する端部に、前記スリットの幅寸法よりも大きい幅寸法を有する孔部が設けられているものとしてもよい。このような構成によれば、スリットを大きく開いても、スリットが裂けてシール部に至ることを防ぐことができる。
【００１１】
また、本発明のグロメットは、前記筒状部の軸方向の他端から軸方向に延出する延出部が設けられているものとしてもよい。このような構成によれば、軸方向における両端部に設けられた延出部にテープを巻き付ける等により、グロメットをワイヤハーネスに固着することができる。
【００１２】
＜実施例＞
以下、本発明を具体化した一実施例について、図１および図２を参照しつつ詳細に説明する。
本実施例におけるグロメット１０は、図示しない電気部品が内部に収容されたケース３０において、ワイヤハーネス４０を導出入するために設けられた開口部３１から、ケース３０内に水が浸入することを防ぐべく、開口部３１に嵌着されるものである。
【００１３】
ケース３０は、上方に開口するロアカバー３２と、ロアカバー３２の上面側を覆うアッパカバー３３とを有している。開口部３１は、ロアカバー３２の側壁に形成された切欠部３４を有し、アッパカバー３３により切欠部３４の上方が塞がれることで全周閉じた形態となる。以下、各構成部材において、図２の右側（ケース３０の内側）を前方、左側（ケース３０の外側）を後方、また上側を上方、下側を下方として説明する。
【００１４】
グロメット１０は、弾性を有するゴム材によって一体に形成され、内側にコルゲートチューブ（外装部材）４１を包囲する筒状をなしてコルゲートチューブ４１に密着する筒状部１１と、筒状部１１の後端（軸方向の一端）から後方に延びる一対の第１延出部１２と、筒状部１１の前端（軸方向の他端）から前方に延びる一対の第２延出部１３とを備えている。
【００１５】
コルゲートチューブ４１は、内側にワイヤハーネス４０の電線４４が複数本挿通される円筒状をなしている。コルゲートチューブ４１は、周方向に連続する山部４２と谷部４３とが軸方向に交互に設けられた樹脂成形品であり、屈曲しやすいものである。
【００１６】
筒状部１１は、内部空間がコルゲートチューブ４１の外形に整合する大きさの円筒形状をなし、その内周面は、コルゲートチューブ４１の外周面に密着可能なシール面１４とされている。
【００１７】
グロメット１０がケース３０の開口部３１に嵌着された状態では、筒状部１１のうち略前半部分がケース３０の内側に突出して配され、略後半部分がアッパカバー３３とロアカバー３２とに挟み込まれる。以下、筒状部１１のうちケース３０の内側に収容される部分を収容部１５、アッパカバー３３とロアカバー３２とに挟み込まれる部分を挟持部１６と称する。
【００１８】
収容部１５の内周面（シール面１４）には、コルゲートチューブ４１の凹凸形状（山部４２および谷部４３）に係止可能な係止部１７が設けられている。係止部１７は、コルゲートチューブ４１の谷部４３に嵌合可能な複数（本実施例では３つ）の突部１８を備え、軸方向に隣接する突部１８の間には、コルゲートチューブ４１の山部４２が入り込むことが可能な溝部１９が形成されている。各突部１８および溝部１９は、それぞれコルゲートチューブ４１の外形（山部４２および谷部４３）に整合する周方向に連続した形状をなしている。
【００１９】
挟持部１６の外周面には、ケース３０の開口部３１の内周面３５に密着するリップ部（シール部）２１が設けられている。リップ部２１は、挟持部１６の外周面に全周にわたり連続して突設され、開口部３１の内周面３５に全周にわたり密着可能とされている。リップ部２１は、挟持部１６のうち前側寄り（収容部１５側寄り）の位置に設けられている。なお、グロメット１０はケース３０の外側に突出することなく開口部３１に嵌着され、筒状部１１の後端はケース３０の外面に揃った位置に配される。
【００２０】
筒状部１１には、図１に示すように、後端（軸方向の一端）からリップ部２１の手前の位置まで軸方向に沿って直線状に延びるスリット２２が形成され、筒状部１１の後端はスリット２２により切り離されている。スリット２２の前端部（リップ部２１の手前に位置する端部）には、スリット２２の幅寸法よりも大きい幅寸法を有する孔部２３が形成されている。孔部２３は、円形状をなして筒状部１１の内外方向に貫通している。
【００２１】
第１延出部１２は、スリット２２を間にした幅方向の両側に一対が設けられている。各第１延出部１２は、筒状部１１の周方向における一部から段差なく後方へ延出する形態をなし、コルゲートチューブ４１の外周面の周方向における一部に沿って配される。各第１延出部１２は、筒状部１１の半径と同等の半径を有する円弧形状をなしている。一対の第１延出部１２は、筒状部１１の軸線を中心に対称な形状とされている。一対の第１延出部１２の間は上下方向に開口している。
【００２２】
第２延出部１３は、第１延出部１２と前後方向に対称な形状をなし、筒状部１１の幅方向の両側に一対が設けられている。各第２延出部１３は円弧形状をなし、筒状部１１の周方向における一部から前方へ延出している。
【００２３】
次に、グロメット１０を用いてケース３０の開口部３１をシールする作業の一例を説明する。
まず、ワイヤハーネス４０にグロメット１０を装着する。ワイヤハーネス４０の先方からグロメット１０を後方に通して装着する。ワイヤハーネス４０のうちコルゲートチューブ４１から先方に引き出されている電線４４や図示しない端子金具等はコルゲートチューブ４１に比して細いので、スムーズにグロメット１０を通すことができる。
【００２４】
そして、グロメット１０がコルゲートチューブ４１の端部に至ったら、グロメット１０の後側に延出している一対の第１延出部１２を両手で把持し、一対の第１延出部１２を開いてスリット２２を広げ、筒状部１１をコルゲートチューブ４１の端部に被せる。その際、第１延出部１２を片方ずつ交互に引っ張るようにして、コルゲートチューブ４１の前端と筒状部１１の前端とがほぼ揃う位置まで引っ張り、筒状部１１をコルゲートチューブ４１の端部へ被せ付ける。グロメット１０は、係止部１７がコルゲートチューブ４１の外周面に係止することで、コルゲートチューブ４１に対し軸方向に固定される。
【００２５】
次いで、ワイヤハーネス４０にグロメット１０を固着する。第１延出部１２および第２延出部１３のまわりにテープＴを巻き付ける。テープＴは、第１延出部１２からコルゲートチューブ４１にかけて螺旋状に巻き付けられ、また第２延出部１３から電線４４にかけて螺旋状に巻き付けられる。詳しくは、テープＴは筒状部１１の後方においてはコルゲートチューブ４１の外周面のうち一対の第１延出部１２の間の開口から外側に露出している部分および第１延出部１２の外周面に巻き付けられ、また筒状部１１の前方においては束ねられた電線４４の外周面のうち一対の第２延出部１３の間の開口から外側に露出している部分および第２延出部１３の外周面に巻き付けられる。これにより、グロメット１０は、筒状部１１がコルゲートチューブ４１の端部に密着した状態で、ワイヤハーネス４０に固着される。なお、テープ巻きではなく第１延出部１２または第２延出部１３のまわりに結束バンドを締め付ける等によりグロメット１０をワイヤハーネス４０に固着してもよい。
【００２６】
次に、ワイヤハーネス４０に固着されたグロメット１０をケース３０の開口部３１に嵌め込む。グロメット１０の挟持部１６をロアカバー３２の切欠部３４に上方から嵌め込み、アッパカバー３３を被せる。すると、グロメット１０の挟持部１６がロアカバー３２とアッパカバー３３との間で挟み込まれ、リップ部２１が弾性的に潰れて開口部３１の内周面３５の全周に密着する。こうして、筒状部１１のリップ部２１が開口部３１に、筒状部１１のシール面１４がコルゲートチューブ４１の外周面にそれぞれ密着した状態になる。
以上により、グロメット１０を用いてケース３０の開口部３１をシールする作業が完了する。
【００２７】
次に、上記のように構成された実施例の作用および効果について説明する。
本実施例のグロメット１０は、ワイヤハーネス４０のコルゲートチューブ４１を包囲する筒状をなしてその内周面がコルゲートチューブ４１の外周面に密着する筒状部１１と、筒状部１１の外周面に設けられてケース３０の開口部３１の周りに密着するリップ部２１と、を有し、筒状部１１の後端（軸方向の一端）からリップ部２１の手前の位置まで軸方向に沿って延びるスリット２２が形成されるとともに、筒状部１１の後端から軸方向に延出する第１延出部１２がスリット２２を間にした幅方向の両側に一対設けられている。
【００２８】
この構成によれば、一対の第１延出部１２を把持してスリット２２を開くことで、比較的容易にワイヤハーネス４０にグロメット１０を装着することができる。また、リップ部２１にスリット２２が形成されていないから、シール性を安定させることができる。すなわち、グロメット１０をワイヤハーネス４０に容易に装着することができ、かつシール性を安定させることができる。
【００２９】
また、スリット２２のうちリップ部２１の手前に位置する端部に、スリット２２の幅寸法よりも大きい幅寸法を有する孔部２３が設けられている。この構成によれば、スリット２２を大きく開いても、スリット２２が裂けてシール部に至ることを防ぐことができる。
【００３０】
また、筒状部１１の前端（軸方向の他端）から軸方向に延出する第２延出部１３が設けられている。この構成によれば、前後両端部に設けられた第１延出部１２および第２延出部１３にテープＴを巻き付ける等により、グロメット１０をワイヤハーネス４０に固着することができる。
【００３１】
＜他の実施例＞
本発明は上記記述及び図面によって説明した実施例に限定されるものではなく、例えば次のような実施例も本発明の技術的範囲に含まれる。
（１）上記実施例では、孔部２３は円形状とされているが、これに限らず、孔部の形状はいかなる形状であってもよく、例えば方形状であってもよい。
（２）上記実施例では、第２延出部１３が設けられているが、これに限らず、第２延出部は必ずしも設けなくても良い。
（３）上記実施例では、シール部が開口部３１の内周面３５に密着するリップ部２１である場合を例示したが、これに限らず、シール部は開口部の周りに密着するものであればどのような形態のものであってもよく、例えば、シール部は、ケースの内面側において開口部の周りに密着するものであってもよい。
（４）上記実施例では、ワイヤハーネス４０の外装部材がコルゲートチューブ４１である場合について説明したが、これに限らず、外装部材は、例えば複数本の電線を束ねるようにして外周に巻き付けられたテープであってもよく、また、各種の電線保護用チューブ等であってもよい。
（５）上記実施例では、筒状部１１のシール面１４に、コルゲートチューブ４１の外周面に係止する係止部１７が設けられているが、これに限らず、筒状部のシール面は、コルゲートチューブの内周面に密着可能であればどのような形状であってもよく、例えば上記のような係止部を有さない平坦な面であってもよく、また例えば、コルゲートチューブに密着するリップ部を有するものであっても良い。
（６）上記実施例では、グロメット１０の係止部１７に、コルゲートチューブ４１の谷部４３に係止可能な複数の突部１８が形成されているが、これに限らず、例えばグロメットの係止部に一の突部のみを設けて、コルゲートチューブと係止させるものとしてもよい。
（７）上記実施例では、グロメット１０に第２延出部１３が一対設けられているが、これに限らず、第２延出部の数は適宜変更することができ、１のみまたは３以上の第２延出部を設けても良い。
（８）上記実施例では、一対の第２延出部１３の間があいているが、これに限らず、例えば第２延出部を全周にわたって閉じた形態としてもよい。
（９）上記実施例では、グロメット１０に第１延出部１２が一対設けられているが、これに限らず、幅方向の両側に加えて、例えば下側に延出部を設けても良い。
【符号の説明】
【００３２】
１０…グロメット
１１…筒状部
１２…第１延出部
１３…第２延出部
２１…リップ部（シール部）
２２…スリット
２３…孔部
３０…ケース
３１…開口部
４０…ワイヤハーネス
４１…コルゲートチューブ（外装部材）
【図１】
2016119750.tif 000003
【図２】
2016119750.tif 000004